(57)【要約】【課題】キーの数が増えても発振部と検知部の数を増加させる必要がなく、回路構成が簡単にできるタッチキーとそれを用いた調理器を提供することを目的とする。【解決手段】パネル部１の表面に設けた電極部２、３と、裏面に設けた電極部４とを有し、電極部４は電極部２、３にまたがって設けたものである。これにより、キーの数が増えても電極部４に接続する発振部６と検知部７の数を増加させる必要がなくなり回路構成が簡単にでき、このタッチキーを用いた調理器は、コンパクトで、安全性、使用性を高めることも可能となる。【選択図】図１
2005158390.tif 000002
【特許請求の範囲】
【請求項１】
電気絶縁物よりなるパネル部と、このパネル部の表裏両面に対向して設けた電極部と、所定の周波数の電圧を出力して前記パネル部の裏面に設けた電極部に印加する発振部と、前記電極部の出力電圧を検知する検知部とを備え、前記パネル部の表面に設けた電極部は複数とし、裏面に設けた電極部は前記表面の複数の電極部にまたがって一つ設けたタッチキー。
【請求項２】
パネル部の表面に設けた複数の電極部は、各電極部面積を異ならせた請求項1に記載のタッチキー。
【請求項３】
パネル部の表面に設けた複数の電極部は、各電極部面積を同一面積とし、パネル部の裏面に設けた電極部は、前記パネル部表面の各電極部間で形成される静電容量が異なるように配置した請求項１に記載のタッチキー。
【請求項４】
パネル部の表面に設けた電極部のタッチ箇所に穴を設けた請求項１に記載のタッチキー。
【請求項５】
穴の大きさを指のタッチする面の大きさより小さく設定した請求項４に記載のタッチキー。
【請求項６】
パネル部の表面に設けた複数の電極部の各タッチ箇所にタッチマークを設け、各タッチマークは各電極部でその位置を異ならせた請求項１に記載のタッチキー。
【請求項７】
パネル部の表面に設けた電極部は、分割形成した請求項１に記載のタッチキー。
【請求項８】
請求項１〜７のいずれか１項に記載のタッチキーを用いた調理器。
【発明の詳細な説明】
【技術分野】
【０００１】
本発明は、各種の機器に用いるタッチキーとそれを用いた調理器に関するものである。
【背景技術】
【０００２】
従来、調理器に用いたタッチキーとしては、ガラスなどの電気絶縁物からなるパネル部の表裏両面にそれぞれ電極部を設け、これら表裏両面の電極部とパネル部でコンデンサを形成したものが知られている（例えば、特許文献１参照）。
【０００３】
これは、発振部より発生した高周波電圧をパネル部裏面の電極部に印加するとともに、パネル部表面の電極部を指でタッチしたときに高周波電圧を各電極部、パネル部、指を通じてバイパスさせ、パネル部裏面の電極部に現れる電圧が低下することを検知部で検知して、電極部のタッチを知るものである。
【特許文献１】実開昭５７−１０６１５２号公報
【発明の開示】
【発明が解決しようとする課題】
【０００４】
しかしながら、前記従来の構成では、１個のタッチキーにそれぞれ一つの発振部と検知部が必要となり、機器の回路を複雑なものにするという課題があった。
【０００５】
本発明は、前記従来の課題を解決するもので、キーの数が増えても発振部と検知部の数を増加させる必要がなく、回路構成が簡単にできるタッチキーとそれを用いた調理器を提供することを目的とする。
【課題を解決するための手段】
【０００６】
前記従来の課題を解決するために、本発明のタッチキーは、パネル部の表面に設けた電極部は複数とし、裏面に設けた電極部は前記表面の複数の電極部にまたがって一つ設けたものである。
【０００７】
これにより、キーの数が増えても発振部と検知部の数を増加させる必要がなくなり回路構成が簡単にできるものである。
【０００８】
また、本発明のタッチキーを用いた調理器とすることにより、回路構成が簡単にでき、コンパクトな調理器が得られ、安全性、使用性を高めることも可能である。
【発明の効果】
【０００９】
本発明のタッチキーとそれを用いた調理器は、キーの数が増えても発振部と検知部の数を増加させる必要がなくなり回路構成が簡単にできる。
【発明を実施するための最良の形態】
【００１０】
第１の発明は、電気絶縁物よりなるパネル部と、このパネル部の表裏両面に対向して設けた電極部と、所定の周波数の電圧を出力して前記パネル部の裏面に設けた電極部に印加する発振部と、前記電極部の出力電圧を検知する検知部とを備え、前記パネル部の表面に設けた電極部は複数とし、裏面に設けた電極部は前記表面の複数の電極部にまたがって一つ設けたタッチキーとすることにより、キーの数が増えても発振部と検知部の数を増加させる必要がなくなり回路構成が簡単にできる。
【００１１】
第２の発明は、特に、第１の発明において、パネル部の表面に設けた複数の電極部は、各電極部面積を異ならせたことにより、電極部によって形成されるコンデンサの静電容量の初期値を変えることができ、複数のキーの判別が可能となる。
【００１２】
第３の発明は、特に、第１の発明において、パネル部の表面に設けた複数の電極部は、各電極部面積を同一面積とし、パネル部の裏面に設けた電極部は、前記パネル部表面の各電極部間で形成される静電容量が異なるように配置したことにより、電極部によって形成されるコンデンサの静電容量の初期値を変えることができ、同一形状の複数キーの判別が可能となる。
【００１３】
第４の発明は、特に、第１の発明において、パネル部の表面に設けた電極部のタッチ箇所に穴を設けたことにより、人が操作するには十分操作しやすいタッチキーを提供することができる。
【００１４】
第５の発明は、特に、第４の発明において、穴の大きさを指のタッチする面の大きさより小さく設定したことにより、信頼性の高いタッチキーを提供することができる。
【００１５】
第６の発明は、特に、第１の発明において、パネル部の表面に設けた複数の電極部の各タッチ箇所にタッチマークを設け、各タッチマークは各電極部でその位置を異ならせたことにより、電極部が同一面積で同一の静電容量であっても、静電容量の変化が異なるため、複数キーの判別が可能となる。
【００１６】
第７の発明は、特に、第１の発明において、パネル部の表面に設けた電極部は、分割形成したことにより、不用意の電極部にタッチしたり、人がいなくて家庭内の小動物が電極部に触れたりしても、簡単には機器の電源を入れたり、設定温度を上げたりすることはなく、安全である。
【００１７】
第８の発明は、特に、第１〜第７のいずれか１つの発明のタッチキーを用いた調理器とすることにより、回路構成が簡単にでき、コンパクトな調理器が得られ、安全性、使用性を高めることも可能である。
【００１８】
以下、本発明の実施の形態について、図面を参照しながら説明する。なお、この実施の形態によって本発明が限定されるものではない。
【００１９】
（実施の形態１）
図１、図２は、本発明の実施の形態１におけるタッチキーの構成を示したものである。
【００２０】
図に示すように、ガラス、プラスチックなどの電気絶縁物よりなるパネル部１の表面に電極部２、３と、裏面に電極部２、３と対向し両電極部２、３にまたがって一つの電極部４とを設けている。すなわち、パネル部１の裏面の電極部４は、パネル部１を挟んでその面積が表面の電極部２、３と重なるようになっている。電極部２、３はタッチキーのキーとなるものである。電極部２と電極部４、または電極部３と電極部４でコンデンサを構成するものである。このコンデンサは指５で電極部２または３をタッチすることにより、その静電容量が変化する。また、電極部４には、所定の周波数の電圧を出力して印加する発振部６と、前記電極部４の出力電圧を検知する検知部７が接続されている。
【００２１】
したがって、電極部２または３をタッチすることで、発振部６からの高周波電圧が指５で十分減衰され、検知部６での検知電圧はタッチした時としない時の電圧差が大きくなって電極部２または３をタッチしたと認識するものである。
【００２２】
このように、本実施の形態におけるタッチキーは、パネル部１の表面に複数の電極部２、３を設け、裏面に設けた電極部４は表面の複数の電極部２、３にまたがって一つ設けたことにより、キーの数が増えても発振部６と検知部７の数を増加させる必要がなくなり回路構成が簡単にできる。なお、電極部２、３は２個に限らず、それ以上あってもよいものである。
【００２３】
（実施の形態２）
図３、図４は本発明の実施の形態２におけるタッチキーを示すものである。実施の形態１と同一要素については同一符号を付して説明を省略する。
【００２４】
本実施の形態においては、電極部２または３を指５でタッチしたとき、複数キーの判別のために、電極部によって形成されるコンデンサの静電容量の初期値を変えたものである。
【００２５】
図３は、電極部２と電極部３の面積を変えたものである。静電容量は対抗する電極部の面積で決定されるため、電極部３の方を電極部２よりも電極部４と対抗する面積を小さくして、静電容量が小さくなるようにしている。なお、電極部２を電極部３の面積より小さくしても同様である。これにより、静電容量の違いでタッチキーの判別を可能にしている。
【００２６】
また、図４（ａ）（ｂ）は、裏面の電極部４の大きさを図３の場合よりも小さくしたものであり、パネル部１表面の電極部２、３の面積が同じでも、裏面の電極部４との対向面積が異なるため、静電容量は異なり、タッチキーの判別を可能にしている。
【００２７】
このように、本実施の形態におけるタッチキーは、電極部によって形成されるコンデンサの静電容量の初期値を変えることができ、複数キーの判別が可能となる。
【００２８】
（実施の形態３）
図５は本発明の実施の形態３におけるタッチキーを示すものである。実施の形態１と同一要素については同一符号を付して説明を省略する。
【００２９】
本実施の形態においては、電極部２のタッチ箇所に穴２ａを設け、指５がタッチするとき、この穴２ａの部分をタッチし穴２ａをふさぐため、キーの判別が可能となる。また、人がタッチしないとき、電極部２は穴２ａがあいた状態なので電極部２は所定の面積が得られないが、不注意で指が触れたり、家庭内の小動物がタッチしたりしても安全である。また、穴２ａの存在は人が操作するに十分操作しやすいタッチキーとすることができる。
【００３０】
そして、穴２ａの大きさを指５のタッチする面の大きさより小さく設定しているものであり、タッチキーの信頼性を高めている。
【００３１】
なお、電極部２のみならず電極部３にも穴を設けることが可能であり、その際、穴の大きさを変えるなどの配慮をすることもできる。
【００３２】
このように、本実施の形態におけるタッチキーは、電極部に穴を設けることにより、人が操作するには十分操作しやく、信頼性の高いタッチキーを提供することができる。
【００３３】
（実施の形態４）
図６は本発明の実施の形態４におけるタッチキーを示すものである。実施の形態１と同一要素については同一符号を付して説明を省略する。
【００３４】
本実施の形態においては、パネル部１の表面に設けた電極部２および３の各タッチ箇所にタッチマーク２ｂ、３ｂを設け、各タッチマーク２ｂ、３ｂは各電極部２、３でその位置を異ならせたものである。
【００３５】
このように、本実施の形態におけるタッチキーは、電極部２、３の各タッチマーク２ｂ、３ｂ位置を異ならせたことにより、電極部２、３が同一面積で同一の静電容量であっても、静電容量の変化が異なって、複数キーの判別が可能となるものである。
【００３６】
（実施の形態５）
図７は本発明の実施の形態５におけるタッチキーを示すものである。実施の形態１と同一要素については同一符号を付して説明を省略する。
【００３７】
本実施の形態においては、パネル部１の表面に設けた電極部２は、分割形成したものである。本実施の形態では電極部２を４分割した例を示しているが、これに限定されるものではない。また、電極部３も分割形成することができる。
【００３８】
このように、本実施の形態におけるタッチキーは、電極部を分割形成することにより、不用意の電極部にタッチしたり、人がいなくて家庭内の小動物が電極部に触れたりしても、分割形成された電極部全体に触れる可能性は少なく、簡単には機器の電源を入れたり、設定温度を上げたりすることはなく、安全である。さらに、タッチキーを調理器に用いた場合、調理中に水や汁が吹きこぼれて電極部にタッチしても、簡単には機器に悪影響を与えることがなく、安全使用ができる。
【００３９】
（実施の形態６）
図８は本発明の実施の形態６における調理器を示すものである。
【００４０】
本実施の形態においては、実施の形態１〜５に示したいずれか１つのタッチキーを調理器に用いたものである。すなわち、図に示した例は、調理器本体６は、そのパネル部９に２つの誘導加熱部７、８と、各実施の形態に示したいずれか１つの構成のタッチキー１０、１１、１２とを有した電磁調理器を示している。そして、タッチキー１１は設定温度の下降、タッチキー１２は電源の入り／切り、タッチキー１３は設定温度の上昇などの機能を有するものである。
【００４１】
このように、本実施の形態における調理器は、各実施の形態１〜５に示したいずれか１つの構成のタッチキーを調理器に用いることにより、回路構成が簡単にでき、コンパクトな調理器が得られ、安全性、使用性を高めることも可能である。
【産業上の利用可能性】
【００４２】
以上のように、本発明にかかるタッチキーとそれを用いた調理器は、キーの数が増えても発振部と検知部の数を増加させる必要がなくなり回路構成が簡単にできるので、各種の機器、特に電磁調理器などのフラットパネルを有する機器にも適用できる。
【図面の簡単な説明】
【００４３】
【図１】本発明の実施の形態１におけるタッチキーの側断面図
【図２】同タッチキーの電極部構成を示す平面図
【図３】本発明の実施の形態２におけるタッチキーの電極部構成を示す平面図
【図４】（ａ）同タッチキーの他の電極部構成を示す平面図（ｂ）同側断面図
【図５】本発明の実施の形態３におけるタッチキーの電極部構成を示す平面図
【図６】本発明の実施の形態４におけるタッチキーの電極部構成を示す平面図
【図７】本発明の実施の形態５におけるタッチキーの電極部構成を示す平面図
【図８】本発明の実施の形態６における調理器を示す平面図
【符号の説明】
【００４４】
１、９  パネル部
２〜４、１０〜１２  電極部
２ａ  穴
２ｂ、３ｂ  タッチマーク
６  発振部
７  検知部
【図１】
2005158390.tif 000003
【図２】
2005158390.tif 000004
【図３】
2005158390.tif 000005
【図４】
2005158390.tif 000006
【図５】
2005158390.tif 000007
【図６】
2005158390.tif 000008
【図７】
2005158390.tif 000009
【図８】
2005158390.tif 000010